(57)【要約】【課題】シートを安定して供給する。【解決手段】軸部１４６が押し出し用ガイド１１８ｂに案内され、長穴１４３に沿って供給ロール５８の外周側に移動する。ここで、補助ロール１４２は、摩擦部材１４８が摩擦部材１３２の壁部１４１に対向している部分に接触するとともに、シート供給装置５４に保持された最上位のシートに接触する。つまり、補助ロール１４２は、押し出し用ガイド１１８ｂにより押し出されて供給ロール５８から突出し、摩擦部材１４８と摩擦部材１３２との摩擦力及び押し出し用ガイド１１８ｂによる押圧により固定されて、供給ロール５８よりもシートの搬送方向上流側でシートに接触する。このように、補助ロール１４２は、回転軸５９に対する距離、及び自転を制限される。さらに供給ロール５８が回転することにより、軸部１４６は、供給ロール５８が確実にシートに接触することができる位置Ｐまでシートを搬送する。【選択図】図９
2008087938.tif 000002
【特許請求の範囲】
【請求項１】
回転軸を軸として回転しつつシートに接触することにより、シートを搬送可能に保持するシート保持部からシートを送り出す送出部材と、この送出部材よりもシートの搬送方向上流側でシートに接触してシートを搬送する搬送部材とを有し、前記搬送部材は、前記送出部材の回転に応じて、前記回転軸に対する距離が変化するように移動するシート供給装置。
【請求項２】
前記送出部材に接触する位置に配置され、前記送出部材が接触していないシートが搬送されることを阻止する阻止部材と、この阻止部材に対して前記搬送部材が荷重をかけないように、前記搬送部材の移動を案内する案内手段とを有する請求項１記載のシート供給装置。
【請求項３】
前記搬送部材は、前記送出部材に支持され、前記回転軸に対して前記送出部材とともに回転するロール状の部材である請求項２記載のシート供給装置。
【請求項４】
少なくとも前記搬送部材がシートに接触する位置から前記阻止部材に対向する位置まで移動する間に、前記搬送部材の前記回転軸に対する距離、及び自転を制限する制限手段をさらに有する請求項３記載のシート供給装置。
【請求項５】
請求項１乃至４いずれか記載のシート供給装置を有する画像形成装置。
【発明の詳細な説明】
【技術分野】
【０００１】
本発明は、用紙などのシートを供給するシート供給装置及び画像形成装置に関するものである。
【背景技術】
【０００２】
特許文献１は、連続回転する繰出しローラの外周面から突出するように可撓性の高摩擦部材を設け、高摩擦部材が軸方向に変形した場合に高摩擦部材が退避する凹部をローラボス部に配した紙幣取扱機構を開示する。また、特許文献２は、給紙ローラの切欠部と円周部との境界近傍側部に回転自在に小径のコロを設け、コロの自重によって給紙ローラの姿勢を所定の停止位置に位置決めする給紙装置を開示する。
【０００３】
【特許文献１】特開平３−１６２３３２号公報
【特許文献２】特開平８−２６５０５号公報
【発明の開示】
【発明が解決しようとする課題】
【０００４】
本発明は、シートを安定して供給することができるシート供給装置及び画像形成装置を提供することを目的とする。
【課題を解決するための手段】
【０００５】
上記目的を達成するため、本発明の第１の特徴とするところは、回転軸を軸として回転しつつシートに接触することにより、シートを搬送可能に保持するシート保持部からシートを送り出す送出部材と、この送出部材よりもシートの搬送方向上流側でシートに接触してシートを搬送する搬送部材とを有し、前記搬送部材は、前記送出部材の回転に応じて、前記回転軸に対する距離が変化するように移動するシート供給装置にある。
【０００６】
好適には、前記送出部材に接触する位置に配置され、前記送出部材が接触していないシートが搬送されることを阻止する阻止部材と、この阻止部材に対して前記搬送部材が荷重をかけないように、前記搬送部材の移動を案内する案内手段とを有する。
【０００７】
また、好適には、前記搬送部材は、前記送出部材に支持され、前記回転軸に対して前記送出部材とともに回転するロール状の部材である。
【０００８】
また、好適には、少なくとも前記搬送部材がシートに接触する位置から前記阻止部材に対向する位置まで移動する間に、前記搬送部材の前記回転軸に対する距離、及び自転を制限する制限手段をさらに有する。
【０００９】
また、本発明の第２の特徴とするところは、上記のシート供給装置を有する画像形成装置にある。
【発明の効果】
【００１０】
本発明によれば、シートを安定して供給することができる。
【発明を実施するための最良の形態】
【００１１】
次に本発明の実施形態を図面に基づいて説明する。
図１において、本発明の実施形態に係る画像形成装置１０の概要が示されている。
画像形成装置１０は、画像形成装置本体１２を有し、この画像形成装置本体１２内に画像形成部１４と、画像形成部１４に用紙などのシートを供給するシート供給装置５４と、電源ユニット１６と、制御手段として用いられる制御部２００とが配設されている。また、画像形成装置本体１２の上部に画像形成がなされたシートが排出されるシート排出部１５が設けられている。
【００１２】
画像形成部１４は、カラー画像を形成する電子写真方式のもので、現像剤像を保持する像保持体としてのドラム形状の感光体２２Ｙ、２２Ｍ、２２Ｃ、２２Ｂと、この各感光体２２Ｙ、２２Ｍ、２２Ｃ、２２Ｂを一様に帯電する帯電ロールを備えた帯電手段としての帯電装置２４Ｙ、２４Ｍ、２４Ｃ、２４Ｂと、各感光体２２Ｙ、２２Ｍ、２２Ｃ、２２Ｂに光により静電潜像を書き込む潜像形成手段としての光書き込み装置２６Ｙ、２６Ｍ、２６Ｃ、２６Ｂと、各感光体２２Ｙ、２２Ｍ、２２Ｃ、２２Ｂに書き込まれた潜像を現像剤（トナー）で現像する現像手段としての現像装置２８Ｙ、２８Ｍ、２８Ｃ、２８Ｂと、各感光体２２Ｙ、２２Ｍ、２２Ｃ、２２Ｂに形成された現像剤像をシートに転写する転写手段として用いられる転写ユニット４２と、転写ユニット４２による現像剤像の転写がなされた後に感光体２２Ｙ、２２Ｍ、２２Ｃ、２２Ｂに残留する現像剤を除去する現像剤除去手段としてのクリーニング装置３０Ｙ、３０Ｍ、３０Ｃ、３０Ｂとを有する。
【００１３】
光書き込み装置２６Ｙ、２６Ｍ、２６Ｃ、２６Ｂは、それぞれレーザー露光装置からなり、光書き込み装置２６Ｙは感光体２２Ｙにイエロー画像に対応するレーザー光を、光書き込み装置２６Ｍは感光体２２Ｍにマゼンダ画像に対応するレーザー光を、光書き込み装置２６Ｃは感光体２２Ｃにシアン画像に対応するレーザー光を、光書き込み装置２６Ｂは感光体２２Ｂにブラック画像に対応するレーザー光をそれぞれ発し、感光体２２Ｙ、２２Ｍ、２２Ｃ、２２Ｂに、それぞれ静電潜像を書き込むようになっている。
【００１４】
画像形成部１４が有する部材のうち感光体２２、帯電装置２４、現像装置２８及びクリーニング装置３０は、交換ユニットとして用いられるプロセスカートリッジ３２として一体型され、画像形成装置本体１２に着脱自在に装着される。また、このプロセスカートリッジ３２には、現像装置２８に供給される現像剤（トナー）を収容する現像剤収容器（交換ユニット）としてのトナーカートリッジ（トナーボトル）３４と、クリーニング装置３０により除去された現像剤（トナー）を回収する現像剤回収容器としての排トナーボトル３６とが該プロセスカートリッジ３２と一体に又は着脱自在に設けられている。
【００１５】
これらのプロセスカートリッジ３２Ｙ、３２Ｍ、３２Ｃ、３２Ｂは、画像形成装置本体１２内において、後述する搬送ベルト４６に沿って、図１における下方から上方へプロセスカートリッジ３２Ｙ、プロセスカートリッジ３２Ｍ、プロセスカートリッジ３２Ｃ、プロセスカートリッジ３２Ｂの順に配列されている。
【００１６】
プロセスカートリッジ３２Ｙはイエロー現像剤の形成用であり、プロセスカートリッジ３２Ｍはマゼンダ現像剤像の形成用であり、プロセスカートリッジ３２Ｃはシアン現像剤像の形成用であり、プロセスカートリッジ３２Ｂはブラック現像剤像の形成用である。したがって、トナーカートリッジ３４Ｙにはイエロートナーが、トナーカートリッジ３４Ｍにはマゼンダトナーが、トナーカートリッジ３４Ｃにはシアントナーが、トナーカートリッジ３４Ｂにはブラックトナーが充填（収容）されている。
【００１７】
転写ユニット４２は、プロセスカートリッジ３２Ｙ、３２Ｍ、３２Ｃ、３２Ｂの感光体２２Ｙ、２２Ｍ、２２Ｃ、２２Ｂに接触するように配置されている。この転写ユニット４２は、ユニットとして一体化されていて２つの支持ロール４４ａ、４４ｂと、シート又は像を搬送する搬送手段としての搬送ベルト４６と、この搬送ベルト４６にシートを吸着させる吸着手段としての吸着ロール４８と、搬送ベルト４６により搬送中のシートに、各感光体２２Ｙ、２２Ｍ、２２Ｃ、２２Ｂに形成された現像剤像をそれぞれ転写する転写ロール５０Ｙ、５０Ｍ、５０Ｃ、５０Ｂとから構成される。
【００１８】
吸着ロール４８は、搬送ベルト４６を介して支持ロール４４ａに圧接する状態で設けられ、電源ユニット１６から電圧が印加されて搬送ベルト４６に静電的にシートを吸着させるようになっている。
【００１９】
各転写ロール５０Ｙ、５０Ｍ、５０Ｃ、５０Ｂには、それぞれ転写バイアスが印加されていて、各転写ロール５０Ｙ、５０Ｍ、５０Ｃ、５０Ｂは、感光体２２Ｙ、２２Ｍ、２２Ｃ、２２Ｂに形成された現像剤像を、搬送ベルト４６により搬送中のシートへと順に転写し、シートにイエロー、マゼンダ、ブラック、シアンの４色の現像剤像が重ねられたカラー現像剤像を形成するようになっている。
【００２０】
また、画像形成装置本体１２内の上部には、転写ユニット４２によりシートに転写された現像剤像をシートへと定着する定着装置５２が設けられている。定着装置５２は、加熱ロール５２ａと加圧ロール５２ｂとからなり、加熱ロール５２ａと加圧ロール５２ｂとの間を通過するシートを加熱し加圧することで、シートに現像剤像を定着するようになっている。
【００２１】
画像形成装置本体１２内には、シート供給装置５４から供給されたシートをシート排出部まで搬送する搬送路６０が設けられていて、この搬送路６０に沿って、シート搬送方向上流側から順に、レジストロール６２、７６、転写ユニット４２、定着装置５２及び排出ロール７８が配置されている。排出ロール７８は、定着装置５２から搬送されたシートをシート排出部１５へと排出する。また、搬送路６０のレジストロール６２、７６のシート搬送方向上流の位置には、レジストロール６２、７６で形成されるニップ部Ｎ２にシート先端が到達するタイミングを検知する検知手段として用いられるセンサ８４が設けられている。
【００２２】
シート供給装置５４は、例えばシートを保持するシート保持部として用いられるシート供給カセット５６と、このシート供給カセット５６からシートを画像形成部１４へ向けて送り出す送出部材としての供給ロール５８と、供給ロール５８が接触していないシートが搬送されることを阻止する阻止部材としての捌きロール８１とを有する。
【００２３】
シート供給カセット５６は、画像形成装置本体１２に対して着脱自在に設けられていて、普通紙、ＯＨＰシート等のシートが重ねて収容される。捌きロール８１は、供給ロール５８に圧接され、供給ロール５８との間に接触部（ニップ部）Ｎ１を形成し、この接触部Ｎ１でシート供給カセット５６から送出されるシートを捌き、分離してシートの重送を防止する。
【００２４】
次に、シート供給装置５４について詳述する。
図２乃至図７において、供給ロール５８及びその周辺が示されている。
レジストロール６２は、回転軸６４と、回転軸６４に固定された４個のコア部６６とを有し、コア部６６の外周面には摩擦力が大きい部材であるゴム等が設けられている。また、レジストロール６２には、レジストロール６２をシート搬送方向と同方向に回転させるレジストロール駆動機構９０が装着されている。レジストロール駆動機構９０は、駆動ギア９２と従動ギア９４とを有する。駆動ギア９２は、駆動源として用いられるモータ９８からの駆動伝達を受けて回転する。従動ギア９４は駆動ギア９２と噛合った状態で、回転軸６４に電磁クラッチ９６を介して固定されている。したがって、モータ９８から駆動伝達を受けて駆動ギア９２が回転を開始すると、この回転が従動ギア９４に伝達されて従動ギア９４が回転を開始する。従動ギア９４が回転を開始しても、電磁クラッチ９６がオフであれば従動ギア９４の回転は回転軸６４には伝達されない。一方、電磁クラッチ９６がオンとされると、従動ギア９４の回転が回転軸６４へと伝達され、回転軸６４とレジストロール６２とがシートを搬送する方向の回転を開始する。
【００２５】
レジストロール７６は、レジストロール６２の表面よりも摩擦係数が低い材料から構成されており、レジストロール６２のコア部６６に圧接され、レジストロール６２の回転に従動して回転する。
【００２６】
供給ロール駆動機構１００は、駆動ギア１０１、従動ギア１０２、及びソレノイド１０４を有し、供給ロール５８をシート搬送方向に回転駆動させる。駆動ギア１０１は、モータ９８からの駆動伝達を受けて回転する。従動ギア１０２は、歯の形成がなされていない歯欠け部１０２ａを有し、後述する枠体１０８によって回転自在に支持された回転軸５９の一端に固定されているとともに、歯欠け部１０２ａが駆動ギア１０１に対峙しているときは駆動ギア１０１が空転し、駆動ギア１０１からの駆動が従動ギア１０２に伝達されないようになっている。従動ギア１０２には、例えば引っ張りバネ等の弾性体からなる付勢手段１０６の一端部が接続され、この付勢手段１０６により従動ギア１０２が一方向に付勢されている。ソレノイド１０４は、制御部２００の制御に応じて、所定のタイミングで回転軸５９に駆動力が伝達されるように動作する。
【００２７】
回転軸５９には、略中央に供給ロール５８が配置され、供給ロール５８の両側にそれぞれコロ１２２ａ、１２２ｂが設けられている。コロ１２２ａ、１２２ｂは、回転軸５９に対して回転自在にされており、図示しない板バネなどの弾性部材によって上方に向けて付勢された用紙押上板１２４に重ねて置かれた（保持された）シートに回転しつつ連続的に接触するようにされている。
【００２８】
枠体１０８は、底板部１１０を有し、この底板部１１０に略四角形の穴部１１２、１１４ａ、１１４ｂが設けられている。穴部１１２は、底板部１１０に対して供給ロール５８を上方から下方に突出させており、用紙押上板１２４に重ねて置かれたシートに供給ロール５８が回転しつつ接触するようにされている。穴部１１４ａ、１１４ｂは、底板部１１０に対してそれぞれコロ１２２ａ、１２２ｂを上方から下方に突出させている。
【００２９】
また、枠体１０８には、穴部１１２と穴部１１４ａとの間に仕切り板１１６ａが回転軸５９に対して直交する方向に立てて設けられ、穴部１１２と穴部１１４ｂとの間に仕切り板１１６ｂが回転軸５９に対して直交する方向に立てて設けられている。仕切り板１１６ａには、供給ロール５８に対向する面に後述する押し出し用ガイド１１８ａと退避用ガイド１２０ａとが設けられている。仕切り板１１６ｂには、供給ロール５８に対向する面に後述する押し出し用ガイド１１８ｂと退避用ガイド１２０ｂとが設けられている。
【００３０】
なお、供給ロール５８の下方には、供給ロール５８と捌きロール８１とが形成する接触部Ｎ１に向けてシートを案内するためのシートガイド（案内部材）１２６が設けられている。
【００３１】
供給ロール５８は、例えばプラスチックからなる本体部１３０と、この本体部１３０に着脱自在に取り付けられた摩擦部材１３２とを有する。摩擦部材１３２は、例えばゴム等の弾性体からなる。本体部１３０には、側面から見てＵ字状の回転軸挿入溝１３４が軸方向に貫通して形成されている。この回転軸挿入溝１３４は、溝端部分が半円形に形成され、この半円形の部分から半径方向外周に向けて開放され、この開放された部分から回転軸５９に挿入し、回転軸５９が回転軸挿入溝１３４の半円形部分に嵌合するようになっている。なお、本体部１３０は、回転軸５９に対し、図示しない例えば固定ピンなどの固定部材によって固定されてもよいし、回転軸挿入溝１３４の幅を回転軸５９よりもわずかに小さくされて摩擦により固定されてもよい。
【００３２】
また、本体部１３０には、軸方向の一端から他端に延びる外部受け面１３６が形成されている。外部受け面１３６は、回転軸５９と同心となる円弧面として形成されている。外部受け面１３６の内側は空洞になっており、この空洞に対峙して内部受け面１３８が形成されている。さらに外部受け面１３６と内部受け面１３８とを接続する摩擦部材挿入溝１４０ａ、１４０ｂが回転軸５９の軸方向と平行に設けられている。外部受け面１３６の内側には、摩擦部材挿入溝１４０ａに続く壁部１４１が形成されている。壁部１４１は、外部受け面１３６の外面に接する平面に対して傾斜しており、後述する退避空間１４４に向けられている。
【００３３】
そして、摩擦部材１３２は、リング状に形成されたものが外部受け面１３６、内部受け面１３８及び摩擦部材挿入溝１４０ａ、１４０ｂに合うように変形されて摩擦部材挿入溝１４０ａ、１４０ｂから本体部１３０に挿入され、外部受け面１３６、内部受け面１３８及び摩擦部材挿入溝１４０ａ、１４０ｂに嵌合される。そして、供給ロール５８は、本体部１３０に摩擦部材１３２が嵌合された状態で、半径方向に開放された部分を有するロールとなるようにされている。
【００３４】
ただし、供給ロール５８は、捌きロール８１に対して間欠的に接触するように形成され、回転軸５９に対して偏心されている。一方、コロ１２２ａ、１２２ｂは、捌きロール８１に対して連続的に接触するようにされている。したがって、供給ロール５８によりシートを送り出す場合は、供給ロール５８と捌きロール８１とによりシートを１枚ずつに分離し、コロ１２２ａ、１２２ｂによりシートを押さえることができる。
【００３５】
また、供給ロール５８には、供給ロール５８よりもシートの搬送方向上流側でシートに接触してシートを搬送する搬送部材としての補助ロール１４２が移動可能に設けられている。本体部１３０には、補助ロール１４２を移動及び回転自在に支持する長穴１４３が軸方向両端にそれぞれ設けられており、補助ロール１４２が供給ロール５８の外周面から突出しないように、補助ロール１４２を回転軸５９に向けて移動（退避）させる退避空間１４４が長穴１４３それぞれの間に設けられている。長穴１４３は、回転軸５９からの距離が長くなるほど壁部１４１との距離が短くなる方向に延びている。
【００３６】
補助ロール１４２は、長穴１４３それぞれに接触して摺り動く軸部１４６を有し、ロールの外面に例えば管状のゴム等の弾性体からなる摩擦部材１４８が着脱自在に設けられている。
なお、補助ロール１４２は、供給ロール５８に対して軸方向に複数並べて設けられてもよい。
【００３７】
次に、シート供給装置５４の作用について説明する。
図８は、供給ロール５８が回転を始める前の停止状態（初期状態）における供給ロール５８及び補助ロール１４２の位置を示す側面図である。
図８に示すように、初期状態において、補助ロール１４２は、退避空間１４４内に収容され、軸部１４６が回転軸５９側に移動して例えば押し出し用ガイド１１８ｂの外面に接触している。つまり、補助ロール１４２は、供給ロール５８の半径方向に突出しないように、供給ロール５８内に退避している。
【００３８】
制御部２００の制御に応じて、供給ロール５８が回転を始めると、図９に示すように、軸部１４６が押し出し用ガイド１１８ｂ（及び押し出し用ガイド１１８ａ）に案内され、長穴１４３に沿って供給ロール５８の外周側に移動する。ここで、補助ロール１４２は、摩擦部材１４８が摩擦部材１３２の壁部１４１に対向している部分に接触するとともに、シート供給装置５４に保持された最上位のシートに接触する。つまり、補助ロール１４２は、押し出し用ガイド１１８ｂにより押し出されて供給ロール５８から突出し、摩擦部材１４８と摩擦部材１３２との摩擦力及び押し出し用ガイド１１８ｂによる押圧により固定されて、供給ロール５８よりもシートの搬送方向上流側でシートに接触する。このように、補助ロール１４２は、回転軸５９に対する距離、及び自転を制限される。さらに供給ロール５８が回転することにより、軸部１４６は、供給ロール５８が確実にシートに接触することができる位置Ｐまでシートを搬送する。したがって、シートが搬送方向の逆側にずれて、供給ロール５８が接触しない場合にも、補助ロール１４２がシートを搬送するので、供給ロール５８及び補助ロール１４２によってシート供給装置５４からシートを確実に送出することができる。
【００３９】
さらに供給ロール５８が回転すると、図１０に示すように、軸部１４６が退避用ガイド１２０ｂに案内されて回転軸５９側に移動し、摩擦部材１４８が摩擦部材１３２から離れる。補助ロール１４２が捌きロール８１に対向する位置まで供給ロール５８が回転すると、補助ロール１４２は、退避用ガイド１２０ｂに案内されて退避空間１４４内に退避する。したがって、補助ロール１４２が捌きロール８１に対して荷重をかけることなく、供給ロール５８と捌きロール８１との間にシートが搬送される。
【００４０】
ここで、複数枚のシートが供給ロール５８と捌きロール８１とで形成される接触部Ｎ１に挟まれると、捌きロール８１は、停止、又は逆転し、重ねられたシート間に滑りを生じさせて、供給ロール５８が接触していないシートが搬送されることを阻止してシートを捌き、最上位のシートのみを送出させる。
【００４１】
次に、補助ロール１４２の変形例について説明する。
図１１及び図１２において供給ロール５８、及び補助ロール１４２の変形例が示されている。
なお、供給ロール５８、及び補助ロール１４２の変形例において、図６及び図７などに示した供給ロール５８及び補助ロール１４２を構成する部分と実質的に同一のものには、同一の符号が付してある。
補助ロール１４２の変形例は、軸部１４６に代えて、長穴１４３の穴の長さよりも短く長穴１４３と略同じ幅を有する突出部１５０を有し、長穴１４３の延びる方向にのみ直線的に往復移動を可能にされ、自転をしないようにされている。したがって、補助ロール１４２の変形例は、摩擦部材１４８と摩擦部材１３２との間の摩擦力が小さくても、自転することなく、供給ロール５８の回転に応じてシートを搬送することができる。
【００４２】
なお、上記実施形態においては、供給ロール５８は、捌きロール８１と組み合わせて用いたが、これに限定されるものではなく、例えば平面状の分離パッドと組み合わせてもよい。
また、補助ロール１４２の軸部１４６を案内する案内部材は、回転軸５９に固定されて回転するものであってもよい。
【図面の簡単な説明】
【００４３】
【図１】本発明の実施形態に係る画像形成装置の概要を示す断面図である。
【図２】供給ロール及びその周辺を示す斜視図である。
【図３】供給ロール及びその周辺を示す上面図である。
【図４】図３に示した供給ロール及びその周辺のＡ−Ａ線断面斜視図である。
【図５】図３に示した供給ロール及びその周辺のＢ−Ｂ線断面斜視図である。
【図６】補助ロールを支持した供給ロールを示す斜視図である。
【図７】補助ロールを支持した供給ロールを示す側面図である。
【図８】初期状態における供給ロール及び補助ロールの位置を示す側面図である。
【図９】補助ロールが供給ロールから突出した状態を示す側面図である。
【図１０】補助ロールが供給ロール内に退避した状態を示す側面図である。
【図１１】補助ロールの変形例を支持した供給ロールを示す斜視図である。
【図１２】補助ロールの変形例を支持した供給ロールを示す側面図である。
【符号の説明】
【００４４】
１０    画像形成装置
１２    画像形成装置本体
１４    画像形成部
５４    シート供給装置
５６    シート供給カセット
５８    供給ロール
５９    回転軸
８１    捌きロール
１０８    枠体
１１０    底板部
１１２、１１４ａ、１１４ｂ    穴部
１１６ａ、１１６ｂ    仕切り板
１１８ａ、１１８ｂ    押し出し用ガイド
１２０ａ、１２０ｂ    退避用ガイド
１２２ａ、１２２ｂ    コロ
１２４    用紙押上板
１３０    本体部
１３２    摩擦部材
１３４    回転軸挿入溝
１３６    外部受け面
１３８    内部受け面
１４０ａ、１４０ｂ    摩擦部材挿入溝
１４１    壁部
１４２    補助ロール
１４３    長穴
１４４    退避空間
１４６    軸部
１４８    摩擦部材
１５０    突出部
【図１】
2008087938.tif 000003
【図２】
2008087938.tif 000004
【図３】
2008087938.tif 000005
【図４】
2008087938.tif 000006
【図５】
2008087938.tif 000007
【図６】
2008087938.tif 000008
【図７】
2008087938.tif 000009
【図８】
2008087938.tif 000010
【図９】
2008087938.tif 000011
【図１０】
2008087938.tif 000012
【図１１】
2008087938.tif 000013
【図１２】
2008087938.tif 000014